(57)【要約】【課題】  一般に流通している紙製またはプラスチック製段ボール箱を改良することにより、別体の蓋止め具を必要とせず、何度も繰り返し使用が可能で、使用後においてはマテリアルリサイクルが可能で、かつ、安価な紙製またはプラスチック製段ボール箱を提供する。【解決手段】  天面の一対のフラップ２，３を互いに係止する紙製フック４，５を一対のフラップ２，３の各々に設ける。これら紙製フック４，５は、側縁部が曲げられた一対の紙製の板を一対のフラップ４，５の各々の端部に上面と下面が互いに逆になるように取り付けられてなる。さらに、埃などが入り込む隙間をなくすために、フラップ２の下面に他方のフラップ３で押さえ込み可能な紙製の板６を貼付している。【選択図】            図１
2005255251.tif 000002
【特許請求の範囲】
【請求項１】
天面の一対のフラップを互いに係止する紙製フックを前記一対のフラップの各々に備える
紙製段ボール箱。
【請求項２】
前記紙製フックは、側縁部が曲げられた一対の紙製の板を前記一対のフラップの各々の端
部の上面と下面に、折り曲げ方向が互いに逆になるように取り付けてなることを特徴とす
る、請求項１記載の紙製段ボール箱。
【請求項３】
前記一対のフラップの一方の下面に他方のフラップで押さえ込み可能な紙製の板を貼付し
ていることを特徴とする、請求項１または請求項２記載の紙製段ボール箱。
【請求項４】
天面の一対のフラップを互いに係止するプラスチック製フックを前記一対のフラップの各々に備えるプラスチック製段ボール箱。
【請求項５】
前記プラスチック製フックは、側縁部が曲げられた一対の樹脂製の板を前記一対のフラップの各々の端部の上面と下面に、折り曲げ方向が互いに逆になるように取り付けてなることを特徴とする、請求項4記載のプラスチック製段ボール箱。
【請求項６】
同一敷地内で使用する被搬送物を、請求項１から請求項5のいずれか一項に記載の紙製またはプラスチック製段ボール箱に収納してなることを特徴とする包装体。
【発明の詳細な説明】
【技術分野】
【０００１】
この発明は、段ボール箱及び段ボール箱を用いた包装体に関し、特に通い箱として何度
も繰り返し使用される段ボール箱に関するものである。
【背景技術】
【０００２】
図６は従来の紙製段ボール箱の斜視図である。従来、紙製段ボール箱１００を組み立てる際には、相対する二辺ずつに折り曲げ、即ち長方形のときは短辺１０１，１０２の二辺のフラップ１０３，１０４を折り曲げ、次いで長辺１０５，１０６の二辺のフラップ１０７，１０８を折り曲げて、天面を形成する。
そして、この長辺側の２枚のフラップ１０７，１０８が開かないようにするために、長
辺側の一対のフラップ１０７，１０８が突き合わさった部分にガムテープ１０９などの粘
着テープを貼付するのが一般的である（図７参照）。
しかし、上記の方法によって紙製段ボール箱１００の蓋をしていたのでは、ガムテープ１０９を剥がす際に紙製段ボール製のフラップ１０７，１０８が損傷してしまい、繰り返し使用できる回数が限られるという問題がある。
そこで、この一対のフラップ１０７，１０８からなる蓋が開かないようにするために、
フラップの突き合わせ部分にプラスチック製のクリップを挿入して止めたり、その他の蓋
止め具でフラップが開かないように固定することが提案されている（特許文献１〜４参照
）。
【０００３】
【特許文献１】特開２００１−３０１７５３号公報
【特許文献２】特許第３１０８３８６号公報
【特許文献３】実公昭６２−３３６９９号公報
【特許文献４】実開昭６３−２３２３１号のマイクロフィルム
【発明の開示】
【発明が解決しようとする課題】
【０００４】
従来の紙製段ボール箱のフラップ係止機構によれば、紙製段ボール箱とは別に蓋止め具を準備しなければならず、その場合には蓋止め具の紛失や携帯が問題となる。また紙製段ボール箱に紙以外の例えばマジックテープ（登録商標）やプラスチック製止め具などをフラップに取り付けているので、紙製段ボール箱を廃棄する際に、マジックテープ（登録商標）やプラスチック製止め具を分離しなければならないという問題点がある。
また、プラスチック製段ボール箱のフラップ係止機構によれば、蓋止め具の紛失や粘着テープの貼り付け、引き剥がしに手間がかかる。フラップに取り付けられたマジックテープ（登録商標）はポリエステル等プラスチック製段ボール材と異なる素材を使用しているため、廃棄する際に、マジックテープ（登録商標）を分離しなければなればリサイクルに回すことができない。また、何度も繰り返し使用するとプラスチック製段ボール箱からマジックテープ（登録商標）が剥がれ落ちたりするという問題点もある。
この発明は上記の問題点を解消するためになされたものであり、一般に流通している段
ボール箱を改良することにより、別体の蓋止め具を必要とせず、何度も繰り返し使用が可
能で、使用後においては紙またはプラスチックとしてのリサイクルが可能で、かつ、安価な段ボール箱を提供することを目的とする。
【課題を解決するための手段】
【０００５】
第１の課題解決手段による紙製段ボール箱は、天面の一対のフラップを互いに係止する紙製フックを一対のフラップの各々に備えるものである。
第２の課題解決手段による紙製段ボール箱は、第１の課題解決手段の紙製段ボール箱において、紙製フックは、側縁部が曲げられた一対の紙製の板を一対のフラップの各々の端部の上面と下面に、折り曲げ方向が互いに逆になるように取り付けてなるものである。
第３の課題解決手段による紙製段ボール箱は、第１または第２の課題解決手段の紙製段ボール箱において、一対のフラップの一方の下面に他方のフラップで押さえ込み可能な紙製の板を貼付しているものである。
第４の課題解決手段によるプラスチック製段ボール箱は天面の一対のフラップを互いに係止するプラスチック製フックを一対のフラップの各々に備えるものである。
第５の課題解決手段によるプラスチック製段ボール箱は、第４の課題解決手段のプラスチック製段ボール箱において、プラスチック製フックは、側縁部が曲げられた一対のプラスチック製の板を一対のフラップの各々の端部の上面と下面に、折り曲げ方向が互いに逆になるように取り付けてなるものである。
第６の課題解決手段による包装体は、同一敷地内で使用する被搬送物を、第１から第５
の課題解決手段のいずれかに記載の紙製またはプラスチック製段ボール箱に収納してなるものである。
【発明の効果】
【０００６】
第１の課題解決手段の紙製段ボール箱によれば、紙製フックによりフラップが開くのを防止できるので、ガムテープなどにより紙製段ボール箱が損傷することがなく繰り返し使え、使用後においては紙製フックを分離することなく紙製段ボール箱とともに紙製品としてリサイクルできるという効果がある。また、一般に流通している規格の紙製段ボール箱のフラップに取り付けて安価に提供できるという効果がある。
第２の課題解決手段の紙製段ボール箱によれば、紙製の板の側縁部を曲げているだけであるため、紙製フックを安価に製造でき、紙製フックの付いた紙製段ボール箱を安価に提供できるという効果がある。
第３の課題解決手段の紙製段ボール箱によれば、紙製の板により一対のフラップの浮きを抑えることができ、また天面の他の一対のフラップとあいまって埃が入る隙間を小さくできるという効果がある。
第４の課題解決手段のプラスチック製ダンボール箱によれば、材料がプラスチックであるため粉塵を防止でき、さらに、プラスチック製フックによりフラップが開くのを防止できるので、蓋止め具が不要であり、使用後においてはプラスチック製フックを分離することなくプラスチック材料としてリサイクルできるという効果がある。また、一般に流通している規格のプラスチック製段ボール箱のフラップに取り付けて安価に提供できるという効果がある。
第５の課題解決手段のプラスチック製段ボール箱によれば、プラスチック製の板の側縁部を曲げているだけであるため、プラスチック製フックを安価に製造でき、プラスチック製フックの付いたプラスチック製段ボール箱を安価に提供できるという効果がある。
第6の課題解決手段の包装体によれば、同一敷地内で搬送するため、長距離を輸送する
場合に比べて箱本体の損傷が少なく、紙製またはプラスチック製段ボール箱を繰り返し使用できる回数が多くなるという効果がある。
【発明を実施するための最良の形態】
【０００７】
（第1実施形態）
以下、この発明の一実施形態による紙製段ボール箱について図１を用いて説明する。図１は紙製段ボール箱の正面図である。図２は図１における紙製段ボール箱のフラップの突合せ部分の拡大図である。図３は図１に示す紙製段ボール箱の平面図である。そして、図４は、図１に示す紙製段ボール箱の長辺側のフラップを開けているところを示している。
【０００８】
図１に示すように、紙製段ボール箱１は、長辺側のフラップ２，３を備えている。長辺側のフラップ２の下面端部には、鉤型に折り曲げられた側縁部４１が上向きになり
かつフラップ２の端部からはみ出すような格好で紙製フック４が貼り付けられている。ま
た、フラップ２の端部の下面側には、紙製フック４のさらに下側に紙製の板６が取り付け
られている。この紙製の板６は、フラップ２を閉じた時に、もう一方のフラップ３の付け
根の近傍まで達する大きさを有している。紙製の板６は、短辺側のフラップ１２，１３の
間隔１４よりも幅広に形成することが埃を防止するためには好ましい。
長辺側のフラップ３の上面端部には、鉤型に折り曲げられた側縁部５１が下向きになり
かつフラップ３の端部からはみ出すような格好で紙製フック５が貼り付けられている。
図５に示すように、紙製フック４は、厚さ０．５ｍｍの板紙の幅方向が半分の長さにな
るように折り曲げられ、折り目４ａから５ｍｍのところに罫線４ｂが入れられて折り曲げ
られると同時に接着されることにより、端部に鉤型に曲げられた側縁部４１が形成され
るようにして製造される。紙製フック４，５は取り付け位置と向きが異なるが、紙製フッ
ク４，５には同じ材料を用いることができる。
【０００９】
フラップ２，３を閉めて固定するには、フラップ２，３を閉じる際に、紙製フック４，
５が引っ掛かり合うよう、長辺９，１０の中心部分を両側から両手で挟むように押えると
同時に上からもフラップ２，３を押える。
逆に、外す時にも、長辺９，１０を両側から両手で挟むように押えて、紙製フック４，
５の引っ掛かりを解き、フラップ２，３を跳ね上げる。
【００１０】
紙製フック４，５は、板紙で形成されているため、繰り返し使用しても鉤型を維持し、
ガムテープなどの粘着剤をフラップ２，３に貼付する場合に比べて、紙製段ボール箱１を傷めず紙製段ボール箱１を長持ちさせることができる。
また、フラップ２に紙製の板６が取り付けられていることにより、フラップ３が閉じた
時に、フラップ３によって紙製の板６が押さえ込まれ、フラップ２もフラップ３も浮き上
がらなくなる。つまり、短辺７とフラップ２，３との隙間が狭く保たれ、短辺７とフラッ
プ２，３との隙間からゴミが入るのを防止することができる。この点に関しては、短辺８
（図３参照）の側についても同様のことがいえる。
【００１１】
なお、上記の例では、紙製フック４，５として、板紙を用いたが、他の種類の紙、例え
ばバルカナイズドファイバーなどであってもよい。
【００１２】
（第２実施形態）
第２実施形態におけるプラスチック製段ボールケースについて図1を用いて説明する。以下の点を除いて、第1実施形態と同様の外形に構成される。紙製段ボール箱1にかえてプラスチック製段ボール箱1、紙製フック4，5にかえてプラスチック製フック４，５が用いられる点、紙製の板６が取り付けられていない点である。プラスチック製段ボール箱1の素材としてはポリプロピレン、ポリエチレン等が用いられるが、特に限定されるものではなく、一般的なプラスチック製段ボールに用いることができるプラスチックであればよい。
【００１３】
プラスチック製フック４，５は、リサイクルし易いようにプラスチック製段ボール箱1と同種のプラスチック素材を用いる。成形方法は特に限定されるものではないが、断面鉤状の異形押出成形や、板状のプラスチック板を熱プレスすることにより鉤状に成形することができる。プラスチック製フック４，５とプラスチック製段ボール箱1は熱融着で接着させる。熱融着の方法は特に限定されるものではなく、例えば、超音波、高周波、マイクロ波により熱融着できる。
【図面の簡単な説明】
【００１４】
【図１】本発明の段ボール箱の構成を示す正面図である。
【図２】図１の段ボール箱のロック部の拡大図である。
【図３】図１に示す段ボール箱の平面図である。
【図４】図１に示す段ボール箱の使用方法を説明するための正面図である。
【図５】フックの製造方法を説明するための斜視図である。
【図６】従来の紙製段ボール箱の構成を示す斜視図である。
【図７】従来の紙製段ボール箱の使用方法を説明するための斜視図である。
【符号の説明】
【００１５】
１  段ボール箱、２，３  フラップ、４，５  フック、６  紙製の板。
【図１】
2005255251.tif 000003
【図２】
2005255251.tif 000004
【図３】
2005255251.tif 000005
【図４】
2005255251.tif 000006
【図５】
2005255251.tif 000007
【図６】
2005255251.tif 000008
【図７】
2005255251.tif 000009